(57)【要約】【課題】短時間で表示画像の調整が可能な画像調整装置、画像表示システム及び画像調整方法を提供する。【解決手段】第１の表示画像及び第２の表示画像を用いて構成される１つの合成画像を調整する画像調整装置は、合成画像内の全測定点を含む撮像範囲で一度に合成画像を撮像した撮像装置からの画像情報に基づいて、各表示画像内の測定点に位置に対応する撮像範囲内の位置を算出する測定点位置算出部と、測定点位置算出部によって算出された測定点の位置における画像情報に基づいて、第１の表示画像及び第２の表示画像の少なくとも１つを調整する制御を行う画像調整制御部とを含む。第１の表示画像及び第２の表示画像は、背景画像の輝度と異なる輝度を有する所定形状の基準パターンを含む同一の画像である。測定点位置算出部は、撮像範囲内の基準パターンを基準に、各表示画像内における測定点の位置を算出する。【選択図】図２
2010085563.tif 000002
【特許請求の範囲】
【請求項１】
各表示画像内に測定点が設けられる第１の表示画像及び第２の表示画像を用いて構成さ
れる１つの合成画像を調整する画像調整装置であって、
前記合成画像内の全測定点を含む撮像範囲で一度に前記合成画像を撮像した撮像装置か
らの画像情報に基づいて、前記各表示画像内の測定点に位置に対応する前記撮像範囲内の
位置を算出する測定点位置算出部と、
前記測定点位置算出部によって算出された前記測定点の位置における画像情報に基づい
て、前記第１の表示画像及び前記第２の表示画像の少なくとも１つを調整する制御を行う
画像調整制御部とを含み、
前記第１の表示画像及び前記第２の表示画像は、
背景画像の輝度と異なる輝度を有する所定形状の基準パターンを含む同一の画像であり
、
前記測定点位置算出部が、
前記撮像範囲内の前記基準パターンを基準に、前記各表示画像内における測定点の位置
を算出することを特徴とする画像調整装置。
【請求項２】
請求項１において、
前記画像情報に基づいて、前記基準パターンの形状を算出する基準パターン形状算出部
と、
前記基準パターン形状算出部により算出された形状に基づいて当該基準パターンを含む
表示画像のサイズを算出する表示画像サイズ算出部とを含み、
前記測定点位置算出部が、
前記表示画像サイズ算出部により算出された前記表示画像のサイズに基づいて、前記表
示画像内の測定点の位置に対応する前記撮像範囲内における測定点の位置を算出すること
を特徴とする画像調整装置。
【請求項３】
請求項２において、
前記撮像範囲内の垂直方向の輝度ヒストグラムと水平方向の輝度ヒストグラムを算出す
る輝度ヒストグラム算出部と、
前記輝度ヒストグラム算出部により算出された輝度ヒストグラムに基づいて前記第１の
表示画像及び前記第２の表示画像を分割する画像分割部と、
前記画像分割部により分割された画像内の基準パターンの辺を探索する基準パターン探
索部とを含み、
前記基準パターン形状算出部が、
前記基準パターン探索部により探索された辺に基づいて、前記基準パターンの形状を算
出することを特徴とする画像調整装置。
【請求項４】
請求項１乃至３のいずれかにおいて、
前記各基準パターンが、
背景画像の輝度と異なる輝度を有する矩形形状のパターンであることを特徴とする画像
調整装置。
【請求項５】
請求項１乃至４のいずれかにおいて、
前記各基準パターンが、
前記各表示画像の相似形の形状を有するパターンであることを特徴とする画像調整装置
。
【請求項６】
請求項１乃至５のいずれかにおいて、
前記画像調整制御部が、
前記各表示画像の測定点における画像情報に基づいて、前記第１の表示画像及び前記第
２の表示画像の少なくとも１つの輝度及び色度を調整する制御を行うことを特徴とする画
像調整装置。
【請求項７】
請求項１乃至５のいずれかにおいて、
前記画像調整制御部が、
前記各表示画像の測定点における画像情報に基づいて、前記第１の表示画像及び前記第
２の表示画像の少なくとも１つの位置を調整する制御を行うことを特徴とする画像調整装
置。
【請求項８】
各表示画像内に測定点が設けられる第１の表示画像と第２の表示画像を用いて構成され
る１つの合成画像を表示する画像表示システムであって、
前記第１の表示画像を表示する第１の画像表示装置と、
前記第２の表示画像を表示する第２の画像表示装置と、
前記合成画像の画像情報を取得する撮像装置と、
請求項１乃至７のいずれか記載の画像調整装置とを含むことを特徴とする画像表示シス
テム。
【請求項９】
各表示画像内に測定点が設けられる第１の表示画像及び第２の表示画像を用いて構成さ
れる１つの合成画像を調整する画像調整方法であって、
背景画像の輝度と異なる輝度を有する所定形状の基準パターンを含む第１の表示画像と
該第１の表示画像と同一の第２の表示画像とを表示する画像表示ステップと、
前記合成画像内の全測定点を含む撮像範囲で一度に前記合成画像を撮像して、前記合成
画像の画像情報を取得する画像情報取得ステップと、
前記撮像範囲内の前記各基準パターンを基準に前記各表示画像内における測定点の位置
を算出し、該各表示画像内の測定点の位置に対応した前記撮像範囲内の位置における画像
情報に基づいて前記第１の表示画像及び前記第２の表示画像の少なくとも１つを調整する
制御を行う画像調整ステップとを含むことを特徴とする画像調整方法。
【請求項１０】
請求項９において、
前記画像情報に基づいて、前記基準パターンの形状を算出する基準パターン形状算出ス
テップと、
前記基準パターン形状算出ステップにおいて算出された形状に基づいて当該基準パター
ンを含む表示画像のサイズを算出する表示画像サイズ算出ステップとを含み、
前記画像調整ステップが、
前記表示画像サイズ算出ステップにおいて算出された前記表示画像のサイズに基づいて
、前記表示画像内の測定点の位置に対応する前記撮像範囲内における測定点の位置を算出
することを特徴とする画像調整方法。
【請求項１１】
請求項１０において、
前記撮像範囲内の垂直方向の輝度ヒストグラムと水平方向の輝度ヒストグラムを算出す
る輝度ヒストグラム算出ステップと、
前記輝度ヒストグラム算出ステップにおいて算出された輝度ヒストグラムに基づいて前
記第１及び第２の表示画像を分割する画像分割ステップと、
前記画像分割ステップにおいて分割された画像内の基準パターンの辺を探索する基準パ
ターン探索ステップとを含み、
前記基準パターン形状算出ステップが、
前記基準パターン探索ステップにおいて探索された辺に基づいて、前記基準パターンの
形状を算出することを特徴とする画像調整方法。
【請求項１２】
請求項９乃至１１のいずれかにおいて、
前記各基準パターンが、
背景画像の輝度と異なる輝度を有する矩形形状のパターンであることを特徴とする画像
調整方法。
【請求項１３】
請求項９乃至１２のいずれかにおいて、
前記各基準パターンが、
前記各表示画像の相似形の形状を有するパターンであることを特徴とする画像調整方法
。
【請求項１４】
請求項９乃至１３のいずれかにおいて、
前記画像調整ステップが、
前記各表示画像の測定点における画像情報に基づいて、前記第１の表示画像及び前記第
２の表示画像の少なくとも１つの輝度及び色度を調整する制御を行うことを特徴とする画
像調整方法。
【請求項１５】
請求項９乃至１４のいずれかにおいて、
前記画像調整ステップが、
前記各表示画像の測定点における画像情報に基づいて、前記第１の表示画像及び前記第
２の表示画像の少なくとも１つの位置を調整する制御を行うことを特徴とする画像調整方
法。
【発明の詳細な説明】
【技術分野】
【０００１】
本発明は、画像調整装置、画像表示システム及び画像調整方法に関する。
【背景技術】
【０００２】
投射型の画像表示装置（画像投射装置）としてのプロジェクタを複数用いたマルチプロ
ジェクションシステム（画像表示システム）は、例えば各プロジェクタの投射画像（表示
画像）を２次元に配置することで大画面の表示に利用される。このマルチプロジェクショ
ンシステムにおいても、単体のプロジェクタと同様に、投射画像の高画質化の要求が高く
、複数のプロジェクタの個々の性能ばらつきを調整することで高画質化を図ることが行わ
れている。
【０００３】
例えば特許文献１には、マルチプロジェクションシステムの画面調整に関する技術が開
示されている。この特許文献１には、オーバーラップ領域を設けて複数の投射画像を隣り
合わせて表示するマルチプロジェクションシステムにおいて、隣り合うプロジェクタから
は同時にテスト画像を表示させずに複数のプロジェクタによるテスト画像を計測カメラで
撮影することを、全プロジェクタによるテスト画像の測定が終了するまで繰り返すことで
調整時間を短縮する技術が開示されている。
【０００４】
【特許文献１】特開２００３−３１５９１４号公報
【発明の開示】
【発明が解決しようとする課題】
【０００５】
しかしながら、特許文献１に開示された技術では、投射面の画像を調整する場合に、マ
ルチプロジェクションシステムを構成するプロジェクタ毎に、テスト画像を変更して、複
数回の測定を行う必要がある。そのため、用意すべきテスト画像の種類が多くなるばかり
か、マルチプロジェクションシステムの調整時において撮影の手間をかけてしまい、調整
時間を十分に短縮できないという問題がある。このような問題は、オーバーラップ領域を
設けて複数の画像を表示させるか否かにかかわらず同様に生じる。
【０００６】
本発明は、以上のような技術的課題に鑑みてなされたものであり、その目的の１つは、
短時間で表示画像の調整が可能な画像調整装置、画像表示システム及び画像調整方法を提
供することにある。
【課題を解決するための手段】
【０００７】
上記課題を解決するために本発明は、各表示画像内に測定点が設けられる第１の表示画
像及び第２の表示画像を用いて構成される１つの合成画像を調整する画像調整装置であっ
て、前記合成画像内の全測定点を含む撮像範囲で一度に前記合成画像を撮像した撮像装置
からの画像情報に基づいて、前記各表示画像内の測定点に位置に対応する前記撮像範囲内
の位置を算出する測定点位置算出部と、前記測定点位置算出部によって算出された前記測
定点の位置における画像情報に基づいて、前記第１の表示画像及び前記第２の表示画像の
少なくとも１つを調整する制御を行う画像調整制御部とを含み、前記第１の表示画像及び
前記第２の表示画像は、背景画像の輝度と異なる輝度を有する所定形状の基準パターンを
含む同一の画像であり、前記測定点位置算出部が、前記撮像範囲内の前記基準パターンを
基準に、前記各表示画像内における測定点の位置を算出する画像調整装置に関係する。
【０００８】
本発明によれば、同一の第１の表示画像及び第２の表示画像を用いて構成される合成画
像内の全測定点を含む撮像範囲で一度に合成画像の画像情報を取得することで、合成画像
の調整が可能となる。そのため、異なる表示画像を用意する必要がなくなる上に、合成画
像全部の画像情報を取得する必要がなくなって、調整の手間を省くことができるようにな
る。更に、大画面になったとしても、低コストで、短時間で、各表示画像の調整が可能に
なる。
【０００９】
また、本発明に係る画像調整装置では、前記画像情報に基づいて、前記基準パターンの
形状を算出する基準パターン形状算出部と、前記基準パターン形状算出部により算出され
た形状に基づいて当該基準パターンを含む表示画像のサイズを算出する表示画像サイズ算
出部とを含み、前記測定点位置算出部が、前記表示画像サイズ算出部により算出された前
記表示画像のサイズに基づいて、前記表示画像内の測定点の位置に対応する前記撮像範囲
内における測定点の位置を算出することができる。
【００１０】
本発明によれば、基準パターンの形状を算出し、該形状に基づいて表示画像のサイズを
算出した後に、表示画像内の測定点の位置に対応する撮像範囲内における測定点の位置を
算出するようにしたので、同一の表示画像を表示させることができ、且つ表示画像サイズ
と撮像範囲とを一致させる必要がなくなる。そのため、より小さい撮像範囲で一度に撮像
することで、調整に必要な画像情報を短時間で取得できるようになる。
【００１１】
また、本発明に係る画像調整装置では、前記撮像範囲内の垂直方向の輝度ヒストグラム
と水平方向の輝度ヒストグラムを算出する輝度ヒストグラム算出部と、前記輝度ヒストグ
ラム算出部により算出された輝度ヒストグラムに基づいて前記第１の表示画像及び前記第
２の表示画像を分割する画像分割部と、前記画像分割部により分割された画像内の基準パ
ターンの辺を探索する基準パターン探索部とを含み、前記基準パターン形状算出部が、前
記基準パターン探索部により探索された辺に基づいて、前記基準パターンの形状を算出す
ることができる。
【００１２】
本発明によれば、撮像装置で撮像した画像に対して、垂直方向及び水平方向に輝度ヒス
トグラムを算出し、その結果に基づいて、画像表示システムが表示する複数の表示画像を
構成する各表示画像を分割してから、基準パターンの形状を特定するための辺を探索する
ようにしたので、処理負荷を軽減でき、画像表示システムの複数の表示画像を構成する各
表示画像内の基準パターンの形状を、簡単に特定できるようになる。
【００１３】
また、本発明に係る画像調整装置では、前記各基準パターンが、背景画像の輝度と異な
る輝度を有する矩形形状のパターンであってもよい。
【００１４】
本発明によれば、撮像装置によって取得された画像情報に基づいて、輝度の変化により
基準パターンを特定できるようになるので、低コストで、第１の表示画像及び第２の表示
画像の調整が可能となる。
【００１５】
また、本発明に係る画像調整装置では、前記各基準パターンが、前記各表示画像の相似
形の形状を有するパターンであってもよい。
【００１６】
本発明によれば、基準パターンの形状が特定できれば、表示画像のサイズの特定も容易
となるので、基準パターンの形状を算出する処理の負荷を軽減できるようになる。
【００１７】
また、本発明に係る画像調整装置では、前記画像調整制御部が、前記各表示画像の測定
点における画像情報に基づいて、前記第１の表示画像及び前記第２の表示画像の少なくと
も１つの輝度及び色度を調整する制御を行うことができる。
【００１８】
本発明によれば、各表示画像の測定点の画像情報に基づいて、第１の表示画像及び第２
の表示画像の少なくとも１つの輝度及び色度が一致するように補正するようにしたので、
簡素な構成及び処理で、例えば２つの表示画像の境界部が目立たなくなり、合成画像の画
質の低下を防止できるようになる。
【００１９】
また、本発明に係る画像調整装置では、前記画像調整制御部が、前記各表示画像の測定
点における画像情報に基づいて、前記第１の表示画像及び前記第２の表示画像の少なくと
も１つの位置を調整する制御を行うことができる。
【００２０】
本発明によれば、各表示画像の測定点の画像情報に基づいて、第１の表示画像及び第２
の表示画像の少なくとも１つの位置を補正するようにしたので、簡素な構成及び処理で、
例えば２つの表示画像の境界部が目立たなくなり、合成画像の画質の低下を防止できるよ
うになる。
【００２１】
また本発明は、各表示画像内に測定点が設けられる第１の表示画像と第２の表示画像を
用いて構成される１つの合成画像を表示する画像表示システムであって、前記第１の表示
画像を表示する第１の画像表示装置と、前記第２の表示画像を表示する第２の画像表示装
置と、前記合成画像の画像情報を取得する撮像装置と、上記のいずれか記載の画像調整装
置とを含む画像表示システムに関係する。
【００２２】
本発明によれば、短時間で表示画像の調整が可能な画像表示システムを提供できるよう
になる。
【００２３】
また本発明は、各表示画像内に測定点が設けられる第１の表示画像及び第２の表示画像
を用いて構成される１つの合成画像を調整する画像調整方法であって、背景画像の輝度と
異なる輝度を有する所定形状の基準パターンを含む第１の表示画像と該第１の表示画像と
同一の第２の表示画像とを表示する画像表示ステップと、前記合成画像内の全測定点を含
む撮像範囲で一度に前記合成画像を撮像して、前記合成画像の画像情報を取得する画像情
報取得ステップと、前記撮像範囲内の前記各基準パターンを基準に前記各表示画像内にお
ける測定点の位置を算出し、該各表示画像内の測定点の位置に対応した前記撮像範囲内の
位置における画像情報に基づいて前記第１の表示画像及び前記第２の表示画像の少なくと
も１つを調整する制御を行う画像調整ステップとを含む画像調整方法に関係する。
【００２４】
本発明によれば、同一の第１の表示画像及び第２の表示画像を用いて構成される合成画
像内の全測定点を含む撮像範囲で一度に合成画像の画像情報を取得することで、合成画像
の調整が可能となる。そのため、異なる表示画像を用意する必要がなくなる上に、合成画
像全部の画像情報を取得する必要がなくなって、調整の手間を省くことができるようにな
る。更に、大画面になったとしても、低コストで、短時間で、各表示画像の調整が可能に
なる。
【００２５】
また本発明に係る画像調整方法では、前記画像情報に基づいて、前記基準パターンの形
状を算出する基準パターン形状算出ステップと、前記基準パターン形状算出ステップにお
いて算出された形状に基づいて当該基準パターンを含む表示画像のサイズを算出する表示
画像サイズ算出ステップとを含み、前記画像調整ステップが、前記表示画像サイズ算出ス
テップにおいて算出された前記表示画像のサイズに基づいて、前記表示画像内の測定点の
位置に対応する前記撮像範囲内における測定点の位置を算出することができる。
【００２６】
本発明によれば、基準パターンの形状を算出し、該形状に基づいて表示画像のサイズを
算出した後に、表示画像内の測定点の位置に対応する撮像範囲内における測定点の位置を
算出するようにしたので、同一の表示画像を表示させることができ、且つ表示画像サイズ
と撮像範囲とを一致させる必要がなくなる。そのため、より小さい撮像範囲で一度に撮像
することで、調整に必要な画像情報を短時間で取得できるようになる。
【００２７】
また本発明に係る画像調整方法では、前記撮像範囲内の垂直方向の輝度ヒストグラムと
水平方向の輝度ヒストグラムを算出する輝度ヒストグラム算出ステップと、前記輝度ヒス
トグラム算出ステップにおいて算出された輝度ヒストグラムに基づいて前記第１の表示画
像及び前記第２の表示画像を分割する画像分割ステップと、前記画像分割ステップにおい
て分割された画像内の基準パターンの辺を探索する基準パターン探索ステップとを含み、
前記基準パターン形状算出ステップが、前記基準パターン探索ステップにおいて探索され
た辺に基づいて、前記基準パターンの形状を算出することができる。
【００２８】
本発明によれば、撮像装置で撮像した画像に対して、垂直方向及び水平方向に輝度ヒス
トグラムを算出し、その結果に基づいて、画像表示システムが表示する複数の表示画像を
構成する各表示画像を分割してから、基準パターンの形状を特定するための辺を探索する
ようにしたので、処理負荷を軽減でき、画像表示システムの複数の表示画像を構成する各
表示画像内の基準パターンの形状を、簡単に特定できるようになる。
【００２９】
また本発明に係る画像調整方法では、前記各基準パターンが、背景画像の輝度と異なる
輝度を有する矩形形状のパターンであってもよい。
【００３０】
本発明によれば、撮像装置によって取得された画像情報に基づいて、輝度の変化により
基準パターンを特定できるようになるので、低コストで、第１の表示画像及び第２の表示
画像の調整が可能となる。
【００３１】
また本発明に係る画像調整方法では、前記各基準パターンが、前記各表示画像の相似形
の形状を有するパターンであってもよい。
【００３２】
本発明によれば、基準パターンの形状が特定できれば、表示画像のサイズの特定も容易
となるので、基準パターンの形状を算出する処理の負荷を軽減できるようになる。
【００３３】
また本発明に係る画像調整方法では、前記画像調整ステップが、前記各表示画像の測定
点における画像情報に基づいて、前記第１の表示画像及び前記第２の表示画像の少なくと
も１つの輝度及び色度を調整する制御を行うことができる。
【００３４】
本発明によれば、各表示画像の測定点の画像情報に基づいて、第１の表示画像及び第２
の表示画像の少なくとも１つの輝度及び色度が一致するように補正するようにしたので、
簡素な構成及び処理で、例えば２つの表示画像の境界部が目立たなくなり、合成画像の画
質の低下を防止できるようになる。
【００３５】
また本発明に係る画像調整方法では、前記画像調整ステップが、前記各表示画像の測定
点における画像情報に基づいて、前記第１の表示画像及び前記第２の表示画像の少なくと
も１つの位置を調整する制御を行うことができる。
【００３６】
本発明によれば、各表示画像の測定点の画像情報に基づいて、第１の表示画像及び第２
の表示画像の少なくとも１つの位置を補正するようにしたので、簡素な構成及び処理で、
例えば２つの表示画像の境界部が目立たなくなり、合成画像の画質の低下を防止できるよ
うになる。
【発明を実施するための最良の形態】
【００３７】
以下、本発明の実施の形態について図面を用いて詳細に説明する。なお、以下に説明す
る実施の形態は、特許請求の範囲に記載された本発明の内容を不当に限定するものではな
い。また以下で説明される構成のすべてが本発明の必須構成要件であるとは限らない。
【００３８】
以下では、本発明に係る画像表示システムとしてマルチプロジェクションシステムを例
に説明するが、本発明に係る画像表示システムがマルチプロジェクションシステムに限定
されるものではない。同様に、本発明に係る画像表示装置（画像投射装置）としてプロジ
ェクタを例に説明するが、本発明に係る画像表示装置がプロジェクタに限定されるもので
はない。
【００３９】
図１に、本発明に係る実施形態における画像表示システムとしてのマルチプロジェクシ
ョンシステムの構成例を示す。図１では、マルチプロジェクションシステムが４台のプロ
ジェクタにより構成されるが、本実施形態はプロジェクタの台数に限定されるものではな
く、Ｎ（Ｎは２以上の自然数）台のプロジェクタにより構成されていればよい。
【００４０】
本実施形態におけるマルチプロジェクションシステム１０は、画像表示装置（画像投射
装置）としての第１〜第４のプロジェクタＰＪ１〜ＰＪ４と、画像調整装置２００と、画
像測定部としての撮像装置３００とを含む。第１〜第４のプロジェクタＰＪ１〜ＰＪ４は
、投射面としてのスクリーンＳＣＲに画像を投射する。第１のプロジェクタＰＪ１は、ス
クリーンＳＣＲに第１の投射画像（広義には表示画像）ＩＭＧ１を表示させる。第２のプ
ロジェクタＰＪ２は、スクリーンＳＣＲに第２の投射画像ＩＭＧ２を表示させる。第３の
プロジェクタＰＪ３は、スクリーンＳＣＲに第３の投射画像ＩＭＧ３を表示させる。第４
のプロジェクタＰＪ４は、スクリーンＳＣＲに第４の投射画像ＩＭＧ４を表示させる。そ
して、マルチプロジェクションシステム１０は、第１〜第４の投射画像ＩＭＧ１〜ＩＭＧ
４を構成する各投射画像を２次元配置することで、いわゆるタイリング画像（広義には合
成画像）を表示する。
【００４１】
第１〜第４の投射画像ＩＭＧ１〜ＩＭＧ４を構成する各投射画像は、互いに隣り合う投
射画像とその境界部が接するように表示されてもよいし、隣り合う投射画像と所与の間隔
を置いて表示されてもよい。或いは、各投射画像は、互いに隣り合う投射画像と重畳する
領域を設けて表示されてもよい。また、図１では、第１〜第４の投射画像ＩＭＧ１〜ＩＭ
Ｇ４が、水平方向（横方向、左右方向）に２画像、垂直方向（縦方向、上下方向）に２画
像が並んで表示されている例を示しているが、１つの方向に並ぶ画像数に本実施形態が限
定されるものではない。
【００４２】
第１〜第４のプロジェクタＰＪ１〜ＰＪ４は、それぞれ同様の構成を有してもよいが、
互いに異なる構成であってもよい。但し、第１〜第４のプロジェクタＰＪ１〜ＰＪ４を構
成する各プロジェクタは、画面全体の輝度及び色度を調整する機能を有する。
【００４３】
画像調整装置２００は、第１〜第４のプロジェクタＰＪ１〜ＰＪ４により投射された第
１〜第４の投射画像ＩＭＧ１〜ＩＭＧ４の画像の輝度及び色度（或いは輝度及び色度の少
なくとも１つ）を調整する制御を行う。そのため、画像調整装置２００は、画像の輝度及
び色度を調整する調整パラメータを算出して、第１〜第４のプロジェクタＰＪ１〜ＰＪ４
の少なくとも１つに対して該調整パラメータを送信することができる。調整パラメータを
受信したプロジェクタは、該調整パラメータに基づいて画面全体の輝度及び色度を調整す
る。このような画像調整装置２００は、撮像装置３００による投射画像の測定結果を用い
て調整パラメータを算出する。画像調整装置２００の機能は、例えばパーソナルコンピュ
ータ等を用いたソフトウェア処理や専用ハードウェア等によるハードウェア処理により実
現される。
【００４４】
撮像装置３００は、プロジェクタによるスクリーンＳＣＲへの投射画像を撮像し、その
撮像結果を画像情報として画像調整装置２００に出力できる。撮像装置３００は、マルチ
プロジェクションシステム１０において１つだけ設けられていてもよいし、プロジェクタ
毎に設けられていてもよい。撮像装置３００の機能は、例えばマルチバンドカメラ、色彩
計、測色器等により実現されるが、撮像装置３００は、投射画像を構成する１画素分の輝
度等の画像情報を取得できればよい。
【００４５】
図２に、図１のマルチプロジェクションシステム１０の構成例のブロック図を示す。な
お、図２において、図１と同一の部分には同一の符号を付し、適宜説明を省略する。図２
では、第１〜第４のプロジェクタＰＪ１〜ＰＪ４の各プロジェクタの構成が同一であるも
のとし、画像調整装置２００が各プロジェクタに画像データを供給するものとして説明す
る。
【００４６】
第１のプロジェクタＰＪ１は、画像表示部１００、画像処理部１８０、画像データ入力
部１９０を含む。画像データ入力部１９０は、画像調整装置２００からの画像データの受
信インタフェース処理を行い、画像信号として画像処理部１８０に出力する。この受信イ
ンタフェース処理としては、物理層の信号レベルの変換処理やプログレッシブ変換処理を
含む。画像処理部１８０は、画像調整装置２００からの調整パラメータに基づいて、画像
データ入力部１９０からの画像信号を補正し、補正後の画像信号を画像表示部１００に出
力する。画像表示部１００は、画像処理部１８０により調整（補正）された画像信号に基
づいて、図示しない光源からの光の変調率を異ならせて、変調後の光をスクリーンＳＣＲ
に投射する。
【００４７】
第２〜第４のプロジェクタＰＪ２〜ＰＪ４もまた、第１のプロジェクタＰＪ１と同様の
構成を有し、画像調整装置２００からの画像データに対応した画像信号を、該画像調整装
置２００からの調整パラメータに基づいて調整し、調整後の画像信号に基づいてスクリー
ンＳＣＲに画像を投射する。
【００４８】
画像調整装置２００は、画像データ生成部２１０、画像情報解析部２２０、パラメータ
算出部としての画像調整制御部２３０を含む。
【００４９】
画像データ生成部２１０は、コンテンツ画像に対応した画像データを生成し、第１〜第
４のプロジェクタＰＪ１〜ＰＪ４のそれぞれに画像データを出力する。この画像データ生
成部２１０は、第１〜第４のプロジェクタＰＪ１〜ＰＪ４に対して同じ画像データを出力
するようにしてもよいし、タイリング画像の一部として各投射画像を互いに隣り合わせて
表示させるような画像データを各プロジェクタに出力するようにしてもよい。また、画像
データ生成部２１０は、第１〜第４のプロジェクタＰＪ１〜ＰＪ４に対して、それぞれ異
なる画像データを出力してもよい。
【００５０】
但し、マルチプロジェクションシステム１０の画像調整時に用いられる複数種類のテス
ト画像は、すべて第１〜第４のプロジェクタＰＪ１〜ＰＪ４に共通のテスト画像であり、
画像データ生成部２１０は、第１〜第４のプロジェクタＰＪ１〜ＰＪ４に共通の複数種類
のテスト画像それぞれに対応した画像データを生成する。
【００５１】
このような画像データ生成部２１０の機能は、画像調整装置２００の外部に設けられて
もよいし、プロジェクタ毎に設けられてもよい。
【００５２】
画像情報解析部２２０は、撮像装置３００によって取得された投射画像の画像情報を解
析して、撮像装置３００やプロジェクタの分光特性の違いに依存することなく定量的に表
現できる補正（調整）基準値となる測定値（画像情報）を生成する。ここで、撮像装置３
００は、投射画像内の所与の測定点における色度成分に対応した画像情報を取得する。こ
のため、画像情報解析部２２０は、撮像装置３００によって取得された画像情報を所与の
色空間の色座標に変換した測定値を生成する。より具体的には、画像情報解析部２２０は
、撮像装置３００によって取得された画像情報に対応したＣＩＥ（Commission Internati
onale de l'Eclairage）表色系の値を出力する。このようなＣＩＥ表色系の値としては、
ＸＹＺ表色系（ＣＩＥ １９３１ 表色系）の値、Ｘ１０Ｙ１０Ｚ１０表色系（ＣＩＥ １
９６４ 表色系）の値、ＸＹＺ表色系での色度座標（ｘ，ｙ）、Ｘ１０Ｙ１０Ｚ１０表色
系での色度座標（ｘ１０，ｙ１０）、ＣＩＥＬＡＢ色空間（ＣＩＥ １９７６ Ｌ＊ａ＊ｂ
＊色空間）の明度や色座標、ＣＩＥＬＵＶ色空間（ＣＩＥ １９７６ Ｌ＊ｕ＊ｖ＊色空間
）の明度や色座標等がある。以下では、画像情報解析部２２０は、撮像装置３００によっ
て取得された画像情報に対応したＸＹＺ表色系の値を、変換後の画像情報として出力する
ものとする。
【００５３】
画像調整制御部２３０は、第１〜第４の投射画像ＩＭＧ１〜ＩＭＧ４を構成する各投射
画像内の所与の測定点における画像情報を、上記の画像情報解析部２２０から取得する。
各投射画像内の測定点は、例えば隣り合う２つの投射画像の境界領域内の画素位置とする
ことができる。そして、画像調整制御部２３０は、画像情報解析部２２０からの画像情報
に基づいて、第１〜第４の投射画像ＩＭＧ１〜ＩＭＧ４のうち互いに隣り合う２つの投射
画像の測定点における輝度及び色度が一致するように、少なくとも一方のプロジェクタに
よる投射画像全体の輝度及び色度を調整する制御を行う。こうすることで、簡素な構成で
、複雑な処理を行うことなく、マルチプロジェクションシステムにおける２つの投射画像
の境界を目立たなくさせることができる。即ち、１つの投射画面内の輝度むら・色むら補
正処理を必ずしも行うことなく、複数の投射画像を隣り合わせて表示する場合の投射画像
間の境界を目立たなくさせることができるようになる。
【００５４】
なお、各投射画像内の測定点は、隣り合う別の投射画像に近い各投射画像内の境界部に
近いことが望ましく、本発明が、投射画像内の測定点の位置に限定されるものではない。
投射画像内において設けられる境界領域内の測定点の位置であればよい。
【００５５】
図３に、図２の画像調整制御部２３０の動作説明図を示す。図３は、画像信号のＲ成分
の入力値に対するＸＹＺ表色系の値ＸＲの測定値が変化する様子の一例を表す。図３では
、第１及び第２のプロジェクタＰＪ１、ＰＪ２を例に説明するが、他のプロジェクタにつ
いても同様である。また、画像信号のＧ成分の入力値に対するＸＹＺ表色系の値ＹＧの測
定値や、画像信号のＢ成分の入力値に対するＸＹＺ表色系の値ＺＢの測定値の変化も、図
３と同様である。
図４に、画像調整制御部２３０における具体的な処理内容の説明図を示す。
【００５６】
マルチプロジェクションシステムを構成する各プロジェクタは、同じ階調に対応する画
像信号を入力した場合であっても、スクリーンＳＣＲに投射される画像の輝度及び色度が
異なることがある。そのため、例えば図３に示すように、第１及び第２のプロジェクタＰ
Ｊ１、ＰＪ２の測定点において取得された測定値がプロジェクタにより異なることがある
。そこで、画像調整制御部２３０は、画像信号のＲ成分の入力値Ｒｉｎが第２のプロジェ
クタＰＪ２の測定点における測定値Ｘｏｕｔと一致する第１のプロジェクタＰＪ１のＲ成
分の入力値Ｒｉｎ´を算出する。
【００５７】
そして、画像調整制御部２３０は、第１のプロジェクタＰＪ１において、入力値がＲｉ
ｎのときに入力値Ｒｉｎ´を出力するように補正するための調整パラメータを求めて、該
調整パラメータを第１のプロジェクタＰＪ１に出力する。同様に、Ｇ成分及びＢ成分につ
いても、調整パラメータを求めて、第１のプロジェクタＰＪ１に出力する。
【００５８】
この調整パラメータは、例えば図４に示す変換式を変形することで、Ｒ成分の入力値Ｒ
ｉｎ、Ｇ成分の入力値Ｇｉｎ、Ｂ成分の入力値Ｂｉｎに対応した、第１のプロジェクタＰ
Ｊ１による第１の投射画像ＩＭＧ１のＣＩＥＬＵＶ色空間の明度及び色座標（Ｌ、Ｕ、Ｖ
）として求められる。従って、この明度及び色座標を実現するための調整パラメータを第
１のプロジェクタＰＪ１に出力すればよい。
【００５９】
なお、上記では第１のプロジェクタＰＪ１に対してのみ調整パラメータを送信するもの
として説明したが、両測定点の輝度及び色度を一致させるために第２のプロジェクタＰＪ
２に対してのみ調整パラメータを送信したり、第１及び第２のプロジェクタＰＪ１、ＰＪ
２の両方に調整パラメータを送信したりするようにしてもよい。
【００６０】
画像調整制御部２３０は、このような調整パラメータの算出及び送信を、第１〜第４の
投射画像ＩＭＧ１〜ＩＭＧ４のうち、互いに隣り合う投射画像を調整するためにそれぞれ
行う。このように、画像調整制御部２３０は、互いに隣り合う境界領域内の測定点におけ
る画像情報を所与の色空間の色座標に変換した後に、投射画像全体の輝度及び色度を調整
するパラメータを算出する。
【００６１】
マルチプロジェクションシステム１０を構成する各プロジェクタは、画像調整装置２０
０からの調整パラメータに基づいて、投射画像全体の輝度及び色度を調整する。この調整
処理は、各プロジェクタに搭載される画像処理部１８０によって行われる。
【００６２】
図５に、各プロジェクタに搭載される画像処理部１８０の構成例のブロック図を示す。
図５において、図２と同一部分には同一符号を付し、適宜説明を省略する。
【００６３】
画像処理部１８０は、調整パラメータ記憶部１８２、信号変換部１８４を含む。調整パ
ラメータ記憶部１８２は、画像調整装置２００からの調整パラメータを記憶する。信号変
換部１８４は、調整パラメータ記憶部１８２に記憶された調整パラメータに基づいて、画
像データ入力部１９０からの画像信号を補正し、補正後の画像信号を画像表示部１００に
出力する。
【００６４】
例えば、画像データで表現可能な全階調についての調整パラメータを調整パラメータ記
憶部１８２に記憶させておき、信号変換部１８４は、画像信号により指定される階調に対
応した調整パラメータに基づいて、補正前の画像信号を補正することができる。或いは、
例えば、画像データで表現可能な全階調のうち離散的にいくつかの調整パラメータを調整
パラメータ記憶部１８２に記憶させておき、信号変換部１８４は、画像信号により指定さ
れる階調に対応した調整パラメータ又は調整パラメータ記憶部１８２に記憶された調整パ
ラメータを補間して得られた調整パラメータに基づいて、補正前の画像信号を補正するこ
とができる。
【００６５】
図６に、図２の画像表示部１００の構成例を示す。図６では、第１のプロジェクタＰＪ
１の画像表示部１００が、いわゆる３板式の構成例を示しているが、本発明に係る画像表
示部が、いわゆる３板式のものに限定されるものではない。図２の第２〜第４のプロジェ
クタＰＪ２〜ＰＪ４も図６と同様の構成の画像表示部を有することができる。
【００６６】
画像表示部１００は、光源１１０、インテグレータレンズ１１２、１１４、偏光変換素
子１１６、重畳レンズ１１８、Ｒ成分用ダイクロイックミラー１２０Ｒ、Ｇ成分用ダイク
ロイックミラー１２０Ｇ、反射ミラー１２２、Ｒ成分用フィールドレンズ１２４Ｒ、Ｇ成
分用フィールドレンズ１２４Ｇ、Ｒ成分用液晶パネル１３０Ｒ（第１の光変調素子）、Ｇ
成分用液晶パネル１３０Ｇ（第２の光変調素子）、Ｂ成分用液晶パネル１３０Ｂ（第３の
光変調素子）、リレー光学系１４０、クロスダイクロイックプリズム１６０、投射レンズ
１７０を含む。Ｒ成分用液晶パネル１３０Ｒ、Ｇ成分用液晶パネル１３０Ｇ及びＢ成分用
液晶パネル１３０Ｂとして用いられる液晶パネルは、透過型の液晶表示装置である。リレ
ー光学系１４０は、リレーレンズ１４２、１４４、１４６、反射ミラー１４８、１５０を
含む。
【００６７】
光源１１０は、例えば超高圧水銀ランプにより構成され、少なくともＲ成分の光、Ｇ成
分の光、Ｂ成分の光を含む光を射出する。インテグレータレンズ１１２は、光源１１０か
らの光を複数の部分光に分割するための複数の小レンズを有する。インテグレータレンズ
１１４は、インテグレータレンズ１１２の複数の小レンズに対応する複数の小レンズを有
する。重畳レンズ１１８は、インテグレータレンズ１１２の複数の小レンズから射出され
る部分光を液晶パネル上で重畳する。
【００６８】
また偏光変換素子１１６は、偏光ビームスプリッタアレイとλ／２板とを有し、光源１
１０からの光を略一種類の偏光光に変換する。偏光ビームスプリッタアレイは、インテグ
レータレンズ１１２により分割された部分光をｐ偏光とｓ偏光に分離する偏光分離膜と、
偏光分離膜からの光の向きを変える反射膜とを、交互に配列した構造を有する。偏光分離
膜で分離された２種類の偏光光は、λ／２板によって偏光方向が揃えられる。この偏光変
換素子１１６によって略一種類の偏光光に変換された光が、重畳レンズ１１８に照射され
る。
【００６９】
重畳レンズ１１８からの光は、Ｒ成分用ダイクロイックミラー１２０Ｒに入射される。
Ｒ成分用ダイクロイックミラー１２０Ｒは、Ｒ成分の光を反射して、Ｇ成分及びＢ成分の
光を透過させる機能を有する。Ｒ成分用ダイクロイックミラー１２０Ｒを透過した光は、
Ｇ成分用ダイクロイックミラー１２０Ｇに照射され、Ｒ成分用ダイクロイックミラー１２
０Ｒにより反射した光は反射ミラー１２２により反射されてＲ成分用フィールドレンズ１
２４Ｒに導かれる。
【００７０】
Ｇ成分用ダイクロイックミラー１２０Ｇは、Ｇ成分の光を反射して、Ｂ成分の光を透過
させる機能を有する。Ｇ成分用ダイクロイックミラー１２０Ｇを透過した光は、リレー光
学系１４０に入射され、Ｇ成分用ダイクロイックミラー１２０Ｇにより反射した光はＧ成
分用フィールドレンズ１２４Ｇに導かれる。
【００７１】
リレー光学系１４０では、Ｇ成分用ダイクロイックミラー１２０Ｇを透過したＢ成分の
光の光路長と他のＲ成分及びＧ成分の光の光路長との違いをできるだけ小さくするために
、リレーレンズ１４２、１４４、１４６を用いて光路長の違いを補正する。リレーレンズ
１４２を透過した光は、反射ミラー１４８によりリレーレンズ１４４に導かれる。リレー
レンズ１４４を透過した光は、反射ミラー１５０によりリレーレンズ１４６に導かれる。
リレーレンズ１４６を透過した光は、Ｂ成分用液晶パネル１３０Ｂに照射される。
【００７２】
Ｒ成分用フィールドレンズ１２４Ｒに照射された光は、平行光に変換されてＲ成分用液
晶パネル１３０Ｒに入射される。Ｒ成分用液晶パネル１３０Ｒは、光変調素子（光変調部
）として機能し、Ｒ成分用画像信号に基づいて透過率（通過率、変調率）が変化するよう
になっている。従って、Ｒ成分用液晶パネル１３０Ｒに入射された光（第１の色成分の光
）は、画像処理部１８０によって補正されたＲ成分用の画像信号に基づいて変調され、変
調後の光がクロスダイクロイックプリズム１６０に入射される。
【００７３】
Ｇ成分用フィールドレンズ１２４Ｇに照射された光は、平行光に変換されてＧ成分用液
晶パネル１３０Ｇに入射される。Ｇ成分用液晶パネル１３０Ｇは、光変調素子（光変調部
）として機能し、Ｇ成分用画像信号に基づいて透過率（通過率、変調率）が変化するよう
になっている。従って、Ｇ成分用液晶パネル１３０Ｇに入射された光（第２の色成分の光
）は、画像処理部１８０によって補正されたＧ成分用の画像信号に基づいて変調され、変
調後の光がクロスダイクロイックプリズム１６０に入射される。
【００７４】
リレーレンズ１４２、１４４、１４６で平行光に変換された光が照射されるＢ成分用液
晶パネル１３０Ｂは、光変調素子（光変調部）として機能し、Ｂ成分用画像信号に基づい
て透過率（通過率、変調率）が変化するようになっている。従って、Ｂ成分用液晶パネル
１３０Ｂに入射された光（第３の色成分の光）は、画像処理部１８０によって補正された
Ｂ成分用の画像信号に基づいて変調され、変調後の光がクロスダイクロイックプリズム１
６０に入射される。
【００７５】
Ｒ成分用液晶パネル１３０Ｒ、Ｇ成分用液晶パネル１３０Ｇ及びＢ成分用液晶パネル１
３０Ｂは、それぞれ同様の構成を有している。各液晶パネルは、電気光学物質である液晶
を一対の透明なガラス基板に密閉封入したものであり、例えばポリシリコン薄膜トランジ
スタをスイッチング素子として、各サブ画素の画像信号に対応して各色光の通過率を変調
する。
【００７６】
クロスダイクロイックプリズム１６０は、Ｒ成分用液晶パネル１３０Ｒ、Ｇ成分用液晶
パネル１３０Ｇ及びＢ成分用液晶パネル１３０Ｂからの入射光を合成した合成光を出射光
として出力する機能を有する。投射レンズ１７０は、出力画像をスクリーンＳＣＲ上に拡
大して結像させるレンズであり、ズーム倍率に応じて画像を拡大又は縮小させる機能を有
する。
【００７７】
このような構成を有するマルチプロジェクションシステム１０では、スクリーンＳＣＲ
が大画面になったとしても、低コスト且つ短時間で、第１〜第４の投射画像ＩＭＧ１〜Ｉ
ＭＧ４の調整を可能とする。そのため、撮像装置３００が、より少ない撮像範囲で一度に
第１〜第４の投射画像ＩＭＧ１〜ＩＭＧ４を撮像して、各投射画像内の測定点における画
像情報を取得し、画像調整装置２００が、この画像情報に基づいて投射画像を調整できる
ようになっている。
【００７８】
一方、撮像装置３００の撮像範囲が１つの投射画像と一致している場合、撮像装置３０
０で撮像された画像内において、投射画像内で予め決められた測定点の位置がわかるので
、撮像装置３００で撮像された画像から、投射画像内の測定点における画像情報を簡単に
取得できる。ところが、本実施形態では、撮像装置３００の撮像範囲と投射画像とが一致
していないため、撮像装置３００で撮像された画像内において、投射画像内の測定点の位
置を特定する必要がある。そこで、本実施形態では、撮像装置３００が撮像するスクリー
ンＳＣＲの投射画像に所与の基準パターンを含む画像を採用し、この基準パターンを基準
に、投射画像の撮像範囲を算出することで、撮像範囲内の測定点の位置における画像情報
を取得するようにしている。
【００７９】
こうすることで、大画面のスクリーンＳＣＲを撮像する撮像装置３００に高価な広角レ
ンズを設ける必要がなくなる上に、スクリーンＳＣＲと撮像装置３００との距離を設けて
撮像する必要がなくなる。更に、一度で、複数の投射画像内の測定点における画像情報を
取得できるので、マルチプロジェクションシステムの調整を短時間で行うことができるよ
うになる。
【００８０】
図７に、本実施形態におけるマルチプロジェクションシステム１０の画像調整処理の処
理フローの一例を示す。
図８に、本実施形態におけるマルチプロジェクションシステム１０の動作例の模式図を
示す。
【００８１】
本実施形態では、大きく分けて２組のテスト画像が用意される。１組のテスト画像は、
撮像装置３００の撮像範囲内における測定点の位置検出用のテスト画像であり、もう１組
のテスト画像は、各投射画像の色調整用のテスト画像である。ここで、本実施形態では、
測定点の位置検出用のテスト画像として実質的に１種類のテスト画像のみを用意する。そ
して、このテスト画像をマルチプロジェクションシステム１０を構成する第１〜第４のプ
ロジェクタＰＪ１〜ＰＪ４が表示した状態で、撮像装置３００がスクリーン上の画像を撮
像する。
【００８２】
具体的には、画像データ生成部２１０は、測定点の位置検出用のテスト画像として、第
１〜第４のプロジェクタＰＪ１〜ＰＪ４のそれぞれに対して、いわゆる全黒画像に対応し
た画像データと、黒色の背景画像に白色の矩形形状の基準パターンが配置された１種類の
パッチ画像に対応した画像データとを生成する。また、画像データ生成部２１０は、色調
整用のテスト画像として、色成分毎に、図３に示すような特性を特定するための複数の階
調画像それぞれに対応した画像データを生成する。なお、測定点の位置検出用のテスト画
像のうち全黒画像は、この色調整用のテスト画像の１つとして流用される。
【００８３】
即ち、本実施形態では、測定点の位置検出用のテスト画像は、マルチプロジェクション
システム１０を構成する第１〜第４のプロジェクタＰＪ１〜ＰＪ４に共通のテスト画像で
ある。更に、本実施形態では、色調整用の複数のテスト画像は、マルチプロジェクション
システム１０を構成する第１〜第４のプロジェクタＰＪ１〜ＰＪ４に共通のテスト画像で
ある。
【００８４】
まず、画像調整装置２００は、画像データ生成部２１０で生成した上記の２組のテスト
画像に対応した画像データを、第１〜第４のプロジェクタＰＪ１〜ＰＪ４のそれぞれに出
力する。画像調整装置２００からテスト画像に対応した第１〜第４のプロジェクタＰＪ１
〜ＰＪ４は、画像表示ステップとして、テスト画像を１つずつ表示する（図８のＴ１）（
ステップＳ１０）。
【００８５】
そして、撮像装置３００は、画像情報取得ステップとして、ステップＳ１０で表示され
た第１〜第４の投射画像ＩＭＧ１〜ＩＭＧ４で構成されるタイリング画像の全範囲よりも
狭い範囲であって、第１〜第４の投射画像ＩＭＧ１〜ＩＭＧ４の全測定点と各投射画像内
の基準パターンをすべて含む撮像範囲で、一度に撮像して、タイリング画像内の全測定点
における画像情報を取得する（図８のＴ２）（ステップＳ１２）。なお、色調整用のテス
ト画像の場合には、ステップＳ１０で表示された第１〜第４の投射画像ＩＭＧ１〜ＩＭＧ
４で構成されるタイリング画像の全範囲よりも狭い範囲であって、第１〜第４の投射画像
ＩＭＧ１〜ＩＭＧ４の全測定点を含む撮像範囲で、一度に撮像して、タイリング画像内の
全測定点における画像情報を取得する。
【００８６】
ステップＳ１０及びステップＳ１２を、上記の２組のテスト画像を構成する各テスト画
像に対して行い（ステップＳ１４：Ｎ）、全テスト画像の表示及び撮像が終了したとき（
ステップＳ１４：Ｙ）、画像調整装置２００が、ステップＳ１０及びステップＳ１２にお
いて取得された測定点の位置検出用のテスト画像の画像情報に基づいて、撮像範囲内の画
像内における各投射画像の測定点の位置を算出する（ステップＳ１６）。
【００８７】
続いて、画像調整装置２００は、ステップＳ１０及びステップＳ１２において取得され
た色調整用のテスト画像の画像情報から、ステップＳ１６において算出された測定点にお
ける画像情報を抽出して、測定データとして取得する（ステップＳ１８）。
【００８８】
そして、画像調整装置２００は、画像調整ステップとして、図３及び図４で説明したよ
うに、ステップＳ１８で取得された測定データを用いて各プロジェクタの調整パラメータ
を算出し、該調整パラメータを各プロジェクタに送信する（図８のＴ３）（ステップＳ２
０）。
【００８９】
第１〜第４のプロジェクタＰＪ１〜ＰＪ４の各プロジェクタは、上述したように、画像
調整装置２００からの調整パラメータに基づいて画像信号を補正して、画面全体の輝度及
び色度を調整し（ステップＳ２２）、一連の処理を終了する（エンド）。
【００９０】
以上のように、第１及び第２の投射画像ＩＭＧ１、ＩＭＧ２に着目し、第１及び第２の
投射画像ＩＭＧ１、ＩＭＧ２を用いて構成される合成画像としてのタイリング画像の調整
を行う場合に、画像表示ステップにおいて、基準パターンを含む同一の第１及び第２の投
射画像ＩＭＧ１、ＩＭＧ２を画像表示した後、画像情報取得ステップとして、タイリング
画像内の全測定点を含む撮像範囲で一度に該タイリング画像の所与の領域（タイリング画
像の一部又は全部の領域）を撮像して、このタイリング画像の画像情報を取得する。その
後、画像調整ステップとして、撮像範囲内の基準パターンを基準に各投射画像内における
測定点の位置を算出し、該各投射画像内の測定点の位置に対応した撮像範囲内の位置にお
ける画像情報に基づいて第１及び第２の投射画像の少なくとも１つを調整する制御を行う
。
【００９１】
以下では、本実施形態における測定点の位置の検出処理の一例について、詳細に説明す
る。
【００９２】
図９に、本実施形態における測定点の位置検出用のテスト画像の一例を示す。なお、図
９において、測定点Ｐ１２、Ｐ１３、Ｐ２１、Ｐ２４、Ｐ３１、Ｐ３４、Ｐ４２、Ｐ４３
を図示しているが、これら測定点Ｐ１２等は、第１〜第４の基準パターンＢＰ１〜ＢＰ４
とは異なり、実際に表示されている画像ではない。
【００９３】
本実施形態では、黒色の背景画像に、白色の矩形形状の基準パターンが配置されたパッ
チ画像を、測定点の位置検出用のテスト画像として採用している。ここで、基準パターン
は、背景画像の輝度と異なる輝度を有する所定形状のパターンであればよく、基準パター
ンが、各投射画像の相似形の形状を有するパターンであることが望ましい。背景画像を黒
色とし、矩形形状を白色とすることで、検出可能な最大輝度で基準パターンの形状を特定
できるようになり、ノイズ等に起因した検出誤差を最小化できるからである。
【００９４】
図９では、第１のプロジェクタＰＪ１が、黒色の背景画像に配置された白色の矩形形状
の第１の基準パターンＢＰ１を有するパッチ画像である第１の投射画像ＩＭＧ１を、スク
リーンＳＣＲに投射する。背景画像には、第２の投射画像ＩＭＧ２と隣接する境界領域に
設けられる測定点Ｐ１２と第３の投射画像ＩＭＧ３と隣接する境界領域に設けられる測定
点Ｐ１３とが配置される。
【００９５】
同様に、第２のプロジェクタＰＪ２が、黒色の背景画像に配置された白色の矩形形状の
第２の基準パターンＢＰ２を有するパッチ画像である第２の投射画像ＩＭＧ２を、スクリ
ーンＳＣＲに投射する。背景画像には、第１の投射画像ＩＭＧ１と隣接する境界領域に設
けられる測定点Ｐ２１と第４の投射画像ＩＭＧ４と隣接する境界領域に設けられる測定点
Ｐ２４とが配置される。第２の投射画像ＩＭＧ２は、第１の投射画像ＩＭＧ１と同一の画
像であり、第２の基準パターンＢＰ２の輝度及び形状もまた、第１の基準パターンＢＰ１
と同一である。
【００９６】
また、第３のプロジェクタＰＪ３が、黒色の背景画像に配置された白色の矩形形状の第
３の基準パターンＢＰ３を有するパッチ画像である第３の投射画像ＩＭＧ３を、スクリー
ンＳＣＲに投射する。背景画像には、第１の投射画像ＩＭＧ１と隣接する境界領域に設け
られる測定点Ｐ３１と第４の投射画像ＩＭＧ４と隣接する境界領域に設けられる測定点Ｐ
３４とが配置される。第３の投射画像ＩＭＧ３は、第１の投射画像ＩＭＧ１と同一の画像
であり、第３の基準パターンＢＰ３の輝度及び形状もまた、第１の基準パターンＢＰ１と
同一である。
【００９７】
更に、第４のプロジェクタＰＪ４が、黒色の背景画像に配置された白色の矩形形状の第
４の基準パターンＢＰ４を有するパッチ画像である第４の投射画像ＩＭＧ４を、スクリー
ンＳＣＲに投射する。背景画像には、第２の投射画像ＩＭＧ２と隣接する境界領域に設け
られる測定点Ｐ４２と第３の投射画像ＩＭＧ３と隣接する境界領域に設けられる測定点Ｐ
４３とが配置される。第４の投射画像ＩＭＧ４は、第１の投射画像ＩＭＧ１と同一の画像
であり、第４の基準パターンＢＰ４の輝度及び形状もまた、第１の基準パターンＢＰ１と
同一である。
【００９８】
本実施形態では、第１〜第４のプロジェクタＰＪ１〜ＰＪ４により図９に示すテスト画
像が表示された状態で、撮像装置３００が、第１〜第４の投射画像ＩＭＧ１〜ＩＭＧ４を
構成する各投射画像内に設けられる測定点をすべて（測定点Ｐ１２、Ｐ１３、Ｐ２１、Ｐ
２４、Ｐ３１、Ｐ３４、Ｐ４２、Ｐ４３）含む撮像範囲ＰＲで、一度に、そのタイリング
画像の一部の領域を撮像して、この画像の画像情報を取得する。なお、撮像範囲ＰＲは、
第１〜第４の投射画像ＩＭＧ１〜ＩＭＧ４を構成する各投射画像内に設けられるすべての
基準パターン（基準パターンＢＰ１〜ＢＰ４）の全部を含むことが望ましいが、基準パタ
ーンの一部から、測定点の位置を検出できる場合には、撮像範囲ＰＲに基準パターンの一
部のみを含む範囲であってもよい。
【００９９】
即ち、第１及び第２の投射画像ＩＭＧ１、ＩＭＧ２に着目し、第１及び第２の投射画像
ＩＭＧ１、ＩＭＧ２を用いて構成される合成画像としてのタイリング画像の調整を行う場
合に、撮像装置３００は、各投射画像内に測定点が設けられる第１及び第２の投射画像の
全測定点を含む撮像範囲で一度にタイリング画像を撮像して、このタイリング画像の画像
情報を取得する。
【０１００】
そして、この撮像範囲ＰＲ内の画像情報に基づいて、画像調整装置２００が、投射画像
内で定義された測定点の位置に対応した撮像範囲ＰＲ内の測定点の位置を特定し、撮像装
置３００によって取得された画像情報から、撮像範囲ＰＲ内の測定点の位置における画像
情報を抽出する。画像調整装置２００は、この撮像範囲ＰＲ内の測定点の位置における画
像情報に基づいて、各投射画像の調整を行う。そのため、画像調整装置２００は、投射画
像の座標系で定義された測定点の位置に対応した、撮像装置３００の座標系における該測
定点の位置を特定する必要がある。
【０１０１】
図１０に、本実施形態における各投射画像の座標系と撮像装置３００の座標系とを模式
的に示す。
【０１０２】
スクリーンＳＣＲにおける各投射画像では、例えば左上隅の画素を基準に、水平方向に
ｘ軸、垂直方向にｙ軸で定義された座標系において、各投射画像内の測定点の位置が特定
される。これに対し、図１０に示すように、撮像装置３００の撮像範囲ＰＲは、各投射画
像の座標系のどこに位置するかが不明となる。
【０１０３】
そこで、画像調整装置２００は、撮像装置３００によって取得された画像情報に基づい
て、まず、投射画像の座標系における撮像装置３００の撮像範囲ＰＲの位置を特定する。
この際、画像調整装置２００は、各投射画像に配置された基準パターンに基づいて、投射
画像の座標系における撮像範囲ＰＲの位置を特定する。
【０１０４】
そして、投射画像の座標系における撮像範囲ＰＲの位置が特定されると、投射画像内の
測定点の位置に対応する撮像範囲ＰＲ内の測定点の位置を特定する。
【０１０５】
撮像範囲ＰＲ内においても、その左上隅を基準に、水平方向にｘｃ軸、垂直方向にｙｃ
軸で座標系が定義される。従って、画像調整装置２００は、撮像装置３００によって取得
された画像情報から、撮像範囲ＰＲ内の測定点の位置における画像情報を抽出し、該画像
情報に基づいて、上記のように各投射画像の輝度及び色度を調整する制御を行う。
【０１０６】
図１１に、本実施形態における測定点の位置の検出処理の原理説明図を示す。図１１に
おいて、図９と同一部分には同一符号を付し、適宜説明を省略する。
【０１０７】
第１〜第４のプロジェクタＰＪ１〜ＰＪ４により、それぞれ図９に示すテスト画像をス
クリーンＳＣＲに投射した状態で、撮像装置３００は、例えば測定点Ｐ１２、Ｐ１３、Ｐ
２１、Ｐ２４、Ｐ３１、Ｐ３４、Ｐ４２、Ｐ４３及び基準パターンＢＰ１〜ＢＰ４のすべ
てを含む撮像範囲ＰＲで、一度に、画像情報を取得する。
【０１０８】
次に、画像調整装置２００は、撮像装置３００によって取得された撮像範囲ＰＲ内の画
像情報に基づいて、基準パターンＢＰ１〜ＢＰ４を基準に、第１〜第４の投射画像ＩＭＧ
１〜ＩＭＧ４に対応した４つの画像に分割する。
【０１０９】
そして、画像調整装置２００は、分割された画像内において、基準パターンの形状を算
出し、算出された基準パターンの形状に基づいて投射画像のサイズを特定する。投射画像
内において測定点の位置は予め分かっているので、上記の分割された画像内における測定
点の位置を求め、この位置における画像情報を用いて、投射画像の調整を行うことになる
。
【０１１０】
次に、このような画像調整装置２００の構成及び動作例を説明する。
【０１１１】
図１２に、本実施形態における画像調整装置２００の画像情報解析部２２０の構成例の
ブロック図を示す。
【０１１２】
画像情報解析部２２０には、撮像装置３００から、第１〜第４の投射画像ＩＭＧ１〜Ｉ
ＭＧ４により構成されるタイリング画像の一部を撮像範囲として撮像することにより得ら
れた画像情報が入力される。この画像情報解析部２２０は、この画像情報に基づいて、投
射画像内に定義された測定点の位置を算出し、該位置における画像情報を取得する一方、
撮像装置３００によって取得された画像情報に基づいて、プロジェクタ等の分光特性の違
いに依存することなく定量的に表現できる補正（調整）基準値となる測定値を生成する処
理を行う。
【０１１３】
このような画像情報解析部２２０は、基準パターン形状算出部２２２、投射画像サイズ
算出部（広義には表示画像サイズ算出部）２２４、測定点位置算出部２２６、測定データ
処理部２２８を含む。
【０１１４】
基準パターン形状算出部２２２は、撮像装置３００によって取得された画像情報に基づ
いて、第１〜第４の投射画像ＩＭＧ１〜ＩＭＧ４内の基準パターンの少なくとも１つの形
状を算出する。投射画像サイズ算出部２２４は、基準パターン形状算出部２２２により算
出された形状に基づいて当該基準パターンを含む投射画像のサイズを算出する。測定点位
置算出部２２６は、投射画像サイズ算出部２２４により算出された投射画像のサイズに基
づいて、投射画像内の測定点の位置に対応する撮像装置３００の撮像範囲内における測定
点の位置を算出する。即ち、測定点位置算出部２２６は、合成画像内の全測定点を含む撮
像範囲で一度に合成画像を撮像した撮像装置３００からの画像情報に基づいて、各投射画
像内の測定点に位置に対応する撮像範囲内の位置を算出することができる。
【０１１５】
測定データ処理部２２８は、画像調整装置２００の処理内容に応じて異なる処理を行う
。即ち、測定点の位置を算出する際には、測定データ処理部２２８は、撮像装置３００か
らの画像情報から、測定点位置算出部２２６により算出された測定点の位置における画像
情報を取得する処理を行う。また、投射画像の輝度及び色度を調整する制御を行う際には
、測定データ処理部２２８は、図３及び図４で説明したように、撮像装置３００からの画
像情報を、定量的に表現できる補正基準値となる測定値を生成する処理を行う。
【０１１６】
これにより、画像調整制御部２３０は、測定点位置算出部２２６によって算出された前
記測定点の位置における画像情報に基づいて、第１〜第４の投射画像ＩＭＧ１〜ＩＭＧ４
の少なくとも１つを調整する制御を行うことができる。
【０１１７】
図１３に、図１２の基準パターン形状算出部２２２の構成例のブロック図を示す。
【０１１８】
基準パターン形状算出部２２２は、輝度ヒストグラム算出部２５０、画像分割部２５２
、基準パターン辺探索部２５４を含む。
【０１１９】
輝度ヒストグラム算出部２５０は、撮像装置３００の撮像範囲内の垂直方向の輝度ヒス
トグラムと水平方向の輝度ヒストグラムを算出する。画像分割部２５２は、輝度ヒストグ
ラム算出部２５０により算出された輝度ヒストグラムに基づいて撮像装置３００の撮像範
囲内の画像を分割する。基準パターン辺探索部２５４は、画像分割部２５２により分割さ
れた画像内の基準パターンの辺を探索する。そして、基準パターン形状算出部２２２は、
基準パターン辺探索部２５４により探索された辺に基づいて、基準パターンの形状を算出
する。
【０１２０】
これにより、より少ない処理負荷で、マルチプロジェクションシステム１０の複数の投
射画像を構成する各投射画像内の基準パターンの形状を、簡単に特定できるようになる。
【０１２１】
なお、図１３では、基準パターン形状算出部２２２が、輝度ヒストグラム算出部２５０
、画像分割部２５２、基準パターン辺探索部２５４を含むものとして説明したが、本実施
形態ではこれに限定されるものではない。基準パターン形状算出部２２２が、基準パター
ン辺探索部２５４を含んでいればよい。
【０１２２】
以上のような構成を有する画像調整装置２００の画像情報解析部２２０の機能は、ハー
ドウェア処理により実現されてもよいし、ソフトウェア処理により実現されてもよい。本
実施形態では、画像調整装置２００が、図示しない中央演算処理装置（Central Processi
ng Unit：ＣＰＵ)及びメモリを有し、メモリに記憶されたプログラムを読み込んで実行し
たＣＰＵにより、画像調整装置２００の画像情報解析部２２０の各部の機能をソフトウェ
ア処理により実現するものとする。
【０１２３】
図１４に、本実施形態における画像情報解析部２２０の撮像範囲内の測定点の位置の算
出処理例のフロー図を示す。即ち、画像情報解析部２２０において、図１４に示す処理方
法を実現するためのプログラムが図示しないメモリに格納されており、ＣＰＵが該メモリ
に格納されたプログラムを読み出して該プログラムに対応した処理を実行することで、図
１４に示す処理をソフトウェア処理により実現できる。
図１５に、図１４のステップＳ３２の説明図を示す。図１５において、図９と同一部分
には同一符号を付し、適宜説明を省略する。
図１６（Ａ）、図１６（Ｂ）に、図１４のステップＳ３８の説明図を示す。
【０１２４】
まず、各プロジェクタに、パッチ画像の背景と同じ輝度を有する全黒画像と、上記の背
景画像に白色の矩形形状の基準パターンを有するテスト画像とを順次表示させて、撮像装
置３００による撮像範囲内で、それぞれ一度に全黒画像の画像情報とテスト画像の画像情
報とを取得しておく。そして、画像情報解析部２２０は、差分計算ステップとして、全黒
画像とテスト画像との各画素の輝度の差分を計算する（ステップＳ３０）。これにより、
撮像装置３００の撮像範囲内において図９に示すような画像情報が得られる。
【０１２５】
次に、画像情報解析部２２０は、輝度ヒストグラム算出ステップとして、ステップＳ３
０で計算された輝度の差分画像の垂直方向の輝度ヒストグラムと、該差分画像の水平方向
の輝度ヒストグラムとを算出する（ステップＳ３２）。これにより、図１５に示すように
、矩形形状の基準パターンの位置によって輝度ヒストグラムの大小が判別でき、該基準パ
ターンを含む画像の概略的な分割ラインを特定できるようになる。
【０１２６】
続いて、画像情報解析部２２０は、画像分割ステップとして、ステップＳ３２によって
算出された輝度ヒストグラムに基づいて、ステップＳ３０で計算された輝度の差分画像を
分割する（ステップＳ３４）。より具体的には、画像情報解析部２２０は、図１５に示す
ように、各方向の輝度ヒストグラムの値が低い位置を画像の分割ラインとして判別し、分
割画像ＢＩ１〜ＢＩ４の４つの画像に分割する。分割画像ＢＩ１は、図９の第１の投射画
像ＩＭＧ１に対応する画像であり、分割画像ＢＩ２は、図９の第２の投射画像ＩＭＧ２に
対応する画像であり、分割画像ＢＩ３は、図９の第３の投射画像ＩＭＧ３に対応する画像
であり、分割画像ＢＩ４は、図９の第４の投射画像ＩＭＧ４に対応する画像である。
【０１２７】
そして、画像情報解析部２２０は、基準パターン形状算出ステップとして、ステップＳ
３４で分割された１つの画像（例えば分割画像ＢＩ１）内の基準パターン（例えば基準パ
ターンＢＰ１）の形状を算出する（ステップＳ３６）。ステップＳ３６では、ステップＳ
３４で分割された１つの画像について基準パターンの形状を算出するが、ステップＳ３４
で分割された全画像について、それぞれ基準パターンの形状を算出するようにしてもよい
。
【０１２８】
各画像内の基準パターンの形状が算出されると、画像情報解析部２２０は、表示画像サ
イズ算出ステップとして、ステップＳ３６で算出された基準画像の形状に基づいて当該基
準パターンを含む投射画像のサイズを算出する（ステップＳ３８）。図１６（Ａ）に示す
ように、例えば第１の投射画像ＩＭＧ１内の所定の位置に基準パターンＢＰ１が配置され
、第１の投射画像ＩＭＧ１の水平方向の幅がＷ、基準パターンＢＰ１の水平方向の幅がＷ
／３であるものとする。このとき、ステップＳ３６において撮像範囲内の画像を分割した
分割画像ＢＩ１内で基準パターンの幅が算出されると、その幅を基準に水平方向に、当該
投射画像の水平方向のサイズを特定することが可能となる。従って、画像の垂直方向につ
いても、同様にして、投射画像の垂直方向のサイズを特定することができる。
【０１２９】
こうして、ステップＳ３８において、ステップＳ３６で算出された基準パターンの形状
に基づいて投射画像の垂直方向と水平方向のサイズが算出されると、画像情報解析部２２
０は、測定点位置算出ステップとして、ステップＳ３６において算出された投射画像のサ
イズに基づいて、投射画像（例えば第１の投射画像ＩＭＧ１）内の測定点（例えば測定点
Ｐ１２、Ｐ１３）の位置に対応する撮像範囲内における測定点の位置を算出し（ステップ
Ｓ４０）、一連の処理を終了する（エンド）。
【０１３０】
図１４に示す処理により算出された撮像範囲内の位置における画像情報を、撮像装置３
００によって取得された画像情報から抽出することで、より小さい撮像範囲の一度の撮像
のみによって、図１の各投射画像の輝度及び色度の調整に供することができるようになる
。
【０１３１】
図１７に、図１４の基準パターンの形状算出処理の処理例のフロー図を示す。
図１８（Ａ）、図１８（Ｂ）、図１８（Ｃ）、図１８（Ｄ）に、図１７の各処理の説明
図を示す。図１８（Ａ）〜図１８（Ｄ）では、分割画像ＢＩ１を例に説明するが、他の分
割画像も同様である。
【０１３２】
図１４のステップＳ３６における基準パターンの形状算出処理は、主に、該基準パター
ンの辺（境界）を探索する処理で実現される。そのため、画像情報解析部２２０は、中央
付近位置算出ステップとして、ステップＳ３４において分割された分割画像内の基準パタ
ーン内の中央付近の位置を算出する（ステップＳ６０）。例えば、図１８（Ａ）に示すよ
うに、分割画像ＢＩ１内の各画素の画素値の重心を算出して、その重心位置を基準パター
ンＢＰ１内の中央付近の位置ＧＰ１として求めてもよい。
【０１３３】
次に、画像情報解析部２２０は、境界探索ステップとして、ステップＳ６０で算出され
た基準パターン内の中央付近の位置を出発点として、分割画像の上下左右の各方向に走査
して、基準パターンの境界を求める（ステップＳ６２）。例えば、図１８（Ｂ）に示すよ
うに、水平方向又は垂直方向に、複数画素単位で走査していき、サンプリングされた画素
の輝度を解析することで、基準パターンＢＰ１の境界を求めてもよい。
【０１３４】
ステップＳ６２において基準パターンの境界を求めると、画像情報解析部２２０は、基
準パターン辺詳細探索ステップとして、基準パターンの境界付近を１画素ずつ探索して、
基準パターンの上下左右の各方向の辺を求める（ステップＳ６４）。例えば、図１８（Ｃ
）に示すように、基準パターンの境界付近から１画素ずつ左方向に輝度の変化を検出する
ことで、該基準パターンの辺を求める。
【０１３５】
その後、画像情報解析部２２０は、基準パターン頂点算出ステップとして、ステップＳ
６４で求められた基準パターンの２辺の交点から基準パターンの頂点位置を求め、該基準
パターンの形状を特定する全頂点の位置を算出し（ステップＳ６６）、一連の処理を終了
する（エンド）。例えばステップＳ６６では、図１８（Ｄ）に示すように、ステップＳ６
４で求めた２辺ＥＤ１、ＥＤ２の交点ＥＰ１を求めることで、全部で４つの頂点を求める
。
【０１３６】
このように基準パターンの形状を特定する４つの頂点の位置が求められると、該基準パ
ターンのサイズを特定でき、図１４のステップＳ３８で説明したように、該基準パターン
を含む投射画像のサイズも特定できるようになる。
【０１３７】
以上説明したように、本実施形態においては、マルチプロジェクションシステムを構成
する各プロジェクタが同一の基準パターンを含む同一の投射画像を表示させた状態で、画
像調整装置２００は、少なくとも全測定点を含む撮像範囲で一度に撮像して画像情報を取
得する。そして、この画像調整装置２００が、各基準パターンに基づいて各投射画像内の
測定点の位置を算出し、この位置における画像情報に基づいて投射画像を調整するように
している。
【０１３８】
これにより、マルチプロジェクションシステムを構成する各プロジェクタが投射するテ
スト画像が同一の画像であるため、プロジェクタ毎に異なる画像を用意して測定する必要
がなくなる上に、マルチプロジェクションシステムの各投射画像全部の画像情報を取得す
る必要がなくなる。また、マルチプロジェクションシステムの調整時の手間を省くことが
できるようになる。更に、スクリーンＳＣＲが大画面になったとしても、低コストで、短
時間で、各投射画像の調整が可能となる。
【０１３９】
〔第１の変形例〕
本実施形態では、測定点の位置検出用のテスト画像に含まれる基準パターンとして矩形
形状のパターンを採用する例を説明したが、本発明はこれに限定されるものではない。基
準パターンは、背景画像の輝度と異なる輝度を有する三角形状であってもよい。
【０１４０】
図１９に、本実施形態の第１の変形例における測定点の位置検出用のテスト画像の一例
を示す。図１９において、図９と同一部分には同一符号を付し、適宜説明を省略する。
【０１４１】
第１の変形例では、黒色の背景画像に、白色の三角形状の基準パターンが配置されたパ
ッチ画像を、測定点の位置検出用のテスト画像として採用している。
【０１４２】
即ち、図１９では、第１のプロジェクタＰＪ１が、黒色の背景画像に配置された白色の
三角形状の第１の基準パターンＢＰ１を有するパッチ画像である第１の投射画像ＩＭＧ１
を、スクリーンＳＣＲに投射する。背景画像には、第２の投射画像ＩＭＧ２と隣接する境
界領域に設けられる測定点Ｐ１２と第３の投射画像ＩＭＧ３と隣接する境界領域に設けら
れる測定点Ｐ１３とが配置される。
【０１４３】
同様に、第２のプロジェクタＰＪ２が、黒色の背景画像に配置された白色の三角形状の
第２の基準パターンＢＰ２を有するパッチ画像である第２の投射画像ＩＭＧ２を、スクリ
ーンＳＣＲに投射する。背景画像には、第１の投射画像ＩＭＧ１と隣接する境界領域に設
けられる測定点Ｐ２１と第４の投射画像ＩＭＧ４と隣接する境界領域に設けられる測定点
Ｐ２４とが配置される。第２の投射画像ＩＭＧ２は、第１の投射画像ＩＭＧ１と同一の画
像であり、第２の基準パターンＢＰ２の輝度及び形状もまた、第１の基準パターンＢＰ１
と同一である。
【０１４４】
また、第３のプロジェクタＰＪ３が、黒色の背景画像に配置された白色の三角形状の第
３の基準パターンＢＰ３を有するパッチ画像である第３の投射画像ＩＭＧ３を、スクリー
ンＳＣＲに投射する。背景画像には、第１の投射画像ＩＭＧ１と隣接する境界領域に設け
られる測定点Ｐ３１と第４の投射画像ＩＭＧ４と隣接する境界領域に設けられる測定点Ｐ
３４とが配置される。第３の投射画像ＩＭＧ３は、第１の投射画像ＩＭＧ１と同一の画像
であり、第３の基準パターンＢＰ３の輝度及び形状もまた、第１の基準パターンＢＰ１と
同一である。
【０１４５】
更に、第４のプロジェクタＰＪ４が、黒色の背景画像に配置された白色の三角形状の第
４の基準パターンＢＰ４を有するパッチ画像である第４の投射画像ＩＭＧ４を、スクリー
ンＳＣＲに投射する。背景画像には、第２の投射画像ＩＭＧ２と隣接する境界領域に設け
られる測定点Ｐ４２と第３の投射画像ＩＭＧ３と隣接する境界領域に設けられる測定点Ｐ
４３とが配置される。第４の投射画像ＩＭＧ４は、第１の投射画像ＩＭＧ１と同一の画像
であり、第４の基準パターンＢＰ４の輝度及び形状もまた、第１の基準パターンＢＰ１と
同一である。
【０１４６】
このような第１の変形例においても、本実施形態と同様の撮像範囲ＰＲで、一度に、そ
のタイリング画像の一部の領域を撮像して、この画像の画像情報を取得する。そして、本
実施形態と同様に、この撮像範囲ＰＲ内の画像情報に基づいて、画像調整装置２００が、
投射画像内で定義された測定点の位置に対応した撮像範囲ＰＲ内の測定点の位置を特定し
、撮像装置３００によって取得された画像情報から、撮像範囲ＰＲ内の測定点の位置にお
ける画像情報を抽出する。画像調整装置２００は、この撮像範囲ＰＲ内の測定点の位置に
おける画像情報に基づいて、各投射画像の調整を行う。
【０１４７】
第１の変形例では、基準パターンの形状を算出する際に、基準パターンの形状である三
角形の斜辺を検出して、該三角形を構成するその他の２辺との頂点を算出する点を除いて
、本実施形態と同様に実現できるため、その構成及び動作の説明を省略する。
【０１４８】
以上説明したように、第１の変形例においても、本実施形態と同様の効果を得ることが
できる。
【０１４９】
〔第２の変形例〕
本実施形態又は第１の変形例におけるマルチプロジェクションシステムでは、測定点に
おける画像情報に基づいて、投射画像の輝度及び色度を調整するものとして説明したが、
本発明はこれに限定されるものではない。本実施形態の第２の変形例におけるマルチプロ
ジェクションシステムでは、スクリーンＳＣＲに投射された投射画像の少なくとも１つの
位置を調整する。
【０１５０】
図２０に、第２の変形例における画像調整装置の動作説明図を示す。図２０では、第１
及び第２の投射画像ＩＭＧ１、ＩＭＧ２を調整する例を示しているが、図１に示す第１〜
第４の投射画像ＩＭＧ１〜ＩＭＧ４の各投射画像も同様に調整することができる。
【０１５１】
第２の変形例では、図２０に示すように例えば第１及び第２の投射画像ＩＭＧ１、ＩＭ
Ｇ２の形状が台形形状となっているとき、本実施形態又は第１の変形例で説明したテスト
画像等を撮像装置３００によって撮像して取得された画像情報に基づいて、第１及び第２
のプロジェクタＰＪ１、ＰＪ２の少なくとも１つに、公知のキーストーン補正を行わせて
タイリング画像の調整を行う。従って、調整後は、図２０の第１及び第２の投射画像ＩＭ
Ｇ１´、ＩＭＧ２´となり、低コストで、短時間で投射画像の調整が可能な画像表示シス
テムを提供できるようになる。
【０１５２】
このような第２の変形例におけるマルチプロジェクションシステムでは、画像調整装置
の画像調整制御部及び各プロジェクタの画像処理部の動作が本実施形態又は第１の変形例
と異なる。
【０１５３】
例えば第２の変形例における画像調整制御部は、本実施形態におけるテスト画像の画像
情報に基づいて、基準パターンの辺の傾きを補正するように調整パラメータを算出し、第
２の変形例における画像処理部が、この調整パラメータに基づいて公知のキーストーン補
正を行う。
【０１５４】
以上説明したように、第２の変形例においては、本実施形態又は第１の変形例と同様に
、マルチプロジェクションシステムを構成する各プロジェクタが同一の基準パターンを含
む同一の投射画像を表示させた状態で、画像調整装置２００は、少なくとも全測定点を含
む撮像範囲で一度に撮像して画像情報を取得する。そして、この画像調整装置２００が、
各基準パターンに基づいて各投射画像内の測定点の位置を算出し、この位置における画像
情報に基づいて投射画像を調整するようにしている。
【０１５５】
これにより、マルチプロジェクションシステムを構成する各プロジェクタが投射するテ
スト画像が同一の画像であるため、プロジェクタ毎に異なる画像を用意して測定する必要
がなくなる上に、マルチプロジェクションシステムの各投射画像全部の画像情報を取得す
る必要がなくなる。また、マルチプロジェクションシステムの調整時の手間を省くことが
できるようになる。更に、スクリーンＳＣＲが大画面になったとしても、低コストで、短
時間で、各投射画像の調整が可能となる。
【０１５６】
また、第２の変形例によれば、各投射画像の測定点の画像情報に基づいて、タイリング
画像（合成画像）を構成する少なくとも１つの画像の位置を補正するようにしたので、簡
素な構成及び処理で、例えば２つの投射画像の境界部が目立たなくなり、合成画像の画質
の低下を防止できるようになる。
【０１５７】
以上、本発明に係る画像調整装置、画像表示システム及び画像調整方法を上記の実施形
態又はその変形例に基づいて説明したが、本発明は上記の実施形態又はその変形例に限定
されるものではなく、その要旨を逸脱しない範囲において種々の態様において実施するこ
とが可能であり、例えば次のような変形も可能である。
【０１５８】
（１）上記の各実施形態又はその変形例では、複数の投射画像を２次元に配置した合成
画像としてのタイリング画像を調整する例を説明したが、本発明は、これに限定されるも
のではない。例えば、合成画像として、複数の投射画像を重ね合わせて表示した画像であ
ってもよい。
【０１５９】
（２）上記の各実施形態又はその変形例では、プロジェクタの外部に本発明に係る画像
調整装置が設けられていたが、マルチプロジェクションシステムを構成する複数のプロジ
ェクタのいずれかに、本発明に係る画像調整装置の機能を内蔵させてもよい。
【０１６０】
（３）上記の各実施形態又はその変形例では、プロジェクタによる投射画像を例に説明
したが、本発明はこれに限定されるものではない。例えば、液晶表示装置、プラズマディ
スプレイ装置、有機ＥＬディスプレイ装置等の複数の画像をタイリング画像として表示さ
せた画像表示システムにも適用できる。
【０１６１】
（４）上記の各実施形態又はその変形例では、主として、マルチプロジェクションシス
テムを構成するプロジェクタの台数が「４」である例を説明したが、本発明はこれに限定
されるものではない。本発明は、マルチプロジェクションシステムを構成するプロジェク
タの台数が「２」以上のものに適用できる。
【０１６２】
（５）上記の各実施形態又はその変形例では、光変調素子（光変調部）としてライトバ
ルブを用いるものとして説明したが、本発明はこれに限定されるものではない。光変調素
子（光変調部）として、例えばＤＬＰ（Digital Light Processing)（登録商標）、ＬＣ
ＯＳ（Liquid Crystal On Silicon)等を採用してもよい。
【０１６３】
（６）上記の各実施形態又はその変形例において、本発明を、画像調整装置、画像表示
システム及び画像調整方法として説明したが、本発明はこれに限定されるものではない。
例えば、本発明を実現するための画像調整方法の処理手順が記述されたプログラムや、該
プログラムが記録された記録媒体であってもよい。
【図面の簡単な説明】
【０１６４】
【図１】本実施形態におけるマルチプロジェクションシステムの構成例を示す図。
【図２】図１のマルチプロジェクションシステムの構成例のブロック図。
【図３】図２の画像調整制御部の動作説明図。
【図４】画像調整制御部における具体的な処理内容の説明図。
【図５】各プロジェクタに搭載される画像処理部の構成例のブロック図。
【図６】図２の画像表示部の構成例を示す図。
【図７】本実施形態におけるマルチプロジェクションシステムの画像調整処理の処理フローの一例を示す図。
【図８】本実施形態におけるマルチプロジェクションシステムの動作例の模式図。
【図９】本実施形態における測定点の位置検出用のテスト画像の一例を示す図。
【図１０】本実施形態における各投射画像の座標系と撮像装置の座標系とを模式的に示す図。
【図１１】本実施形態における測定点の位置の検出処理の原理説明図。
【図１２】本実施形態における画像調整装置の画像情報解析部の構成例のブロック図。
【図１３】図１２の基準パターン形状算出部の構成例のブロック図。
【図１４】本実施形態における画像情報解析部の撮像範囲内の測定点の位置の算出処理例のフロー図。
【図１５】図１４のステップＳ３２の説明図。
【図１６】図１６（Ａ）、図１６（Ｂ）は図１４のステップＳ３８の説明図。
【図１７】図１４の基準パターンの形状算出処理の処理例のフロー図。
【図１８】図１８（Ａ）、図１８（Ｂ）、図１８（Ｃ）、図１８（Ｄ）は図１７の各処理の説明図。
【図１９】本実施形態の第１の変形例における測定点の位置検出用のテスト画像の一例を示す図。
【図２０】本実施形態の第２の変形例における画像調整装置の動作説明図。
【符号の説明】
【０１６５】
１０…マルチプロジェクションシステム、  １００…画像表示部、  １１０…光源、
１１２，１１４…インテグレータレンズ、  １１６…偏光変換素子、
１１８…重畳レンズ、  １２０Ｒ…Ｒ成分用ダイクロイックミラー、
１２０Ｇ…Ｇ成分用ダイクロイックミラー、  １２２，１４８，１５０…反射ミラー、
１２４Ｒ…Ｒ成分用フィールドレンズ、  １２４Ｇ…Ｇ成分用フィールドレンズ、
１３０Ｒ…Ｒ成分用液晶パネル、  １３０Ｇ…Ｇ成分用液晶パネル、
１３０Ｂ…Ｂ成分用液晶パネル、  １４０…リレー光学系、
１４２，１４４，１４６…リレーレンズ、  １６０…クロスダイクロイックプリズム、
１７０…投射レンズ、  １８０…画像処理部、  １８２…調整パラメータ記憶部、
１８４…信号変換部、  １９０…画像データ入力部、  ２００…画像調整装置、
２１０…画像データ生成部、  ２２０…画像情報解析部、
２２２…基準パターン形状算出部、  ２２４…投射画像サイズ算出部、
２２６…測定点位置算出部、  ２２８…測定データ処理部、  ２３０…画像調整制御部、
２５０…輝度ヒストグラム算出部、  ２５２…画像分割部、
２５４…基準パターン辺探索部、  ３００…撮像装置、  ＢＩ１〜ＢＩ４…分割画像、
ＢＰ１〜ＢＰ４…第１〜第４の基準パターン、
ＩＭＧ１〜ＩＭＧ４…第１〜第４の投射画像、
Ｐ１２，Ｐ１３，Ｐ２１，Ｐ２４，Ｐ３１，Ｐ３４，Ｐ４２，Ｐ４３…測定点、
ＰＪ１〜ＰＪ４…第１〜第４のプロジェクタ、  ＰＲ…撮像範囲、  ＳＣＲ…スクリーン
【図１】
2010085563.tif 000003
【図２】
2010085563.tif 000004
【図３】
2010085563.tif 000005
【図４】
2010085563.tif 000006
【図５】
2010085563.tif 000007
【図６】
2010085563.tif 000008
【図７】
2010085563.tif 000009
【図８】
2010085563.tif 000010
【図９】
2010085563.tif 000011
【図１０】
2010085563.tif 000012
【図１１】
2010085563.tif 000013
【図１２】
2010085563.tif 000014
【図１３】
2010085563.tif 000015
【図１４】
2010085563.tif 000016
【図１５】
2010085563.tif 000017
【図１６】
2010085563.tif 000018
【図１７】
2010085563.tif 000019
【図１８】
2010085563.tif 000020
【図１９】
2010085563.tif 000021
【図２０】
2010085563.tif 000022